(57)【要約】【課題】傾斜屋根の断熱を容易にすると共に断熱効果の優れた断熱ユニットの支持構造を提供する。【解決手段】断熱ユニットの支持構造として、傾斜屋根に複数敷設される屋根材と略同形状の基材部から上方へ突出する支持部を有し屋根の流れ方向及び左右方向に所定間隔で屋根上に敷設される支持屋根材１２と、支持屋根材１２の支持部に所定方向へ摺動可能に支持されると共に固定部を有した下固定金具１４と、下固定金具１４の摺動方向に対して直角方向に配置されると共に固定部に固定され、少なくとも上面に所定の締結具２４を長手方向へスライド可能に保持する長尺状の支持桟１６と、支持桟１６に板状の断熱ユニット１０を、屋根材の上面と断熱ユニット１０の下面との間に所定量の隙間が形成されるように支持桟１６に保持された締結具２４を介して固定する上固定金具１８とを具備させる。【選択図】図４
2009293201.tif 000002
【特許請求の範囲】
【請求項１】
傾斜屋根に複数敷設される屋根材と略同形状の基材部、及び該基材部から上方へ突出する支持部を有し、屋根の流れ方向及び左右方向に所定間隔で屋根上に敷設される支持屋根材と、
該支持屋根材の前記支持部に所定方向へ摺動可能に支持されると共に、固定部を有した下固定金具と、
該下固定金具の摺動方向に対して直角方向に配置されると共に前記固定部に固定され、少なくとも上面に所定の締結具を長手方向へスライド可能に保持する長尺状の支持桟と、
該支持桟に板状の断熱ユニットを、前記屋根材の上面と断熱ユニットの下面との間に所定量の隙間が形成されるように、前記支持桟に保持された前記締結具を介して固定する上固定金具と
を具備することを特徴とする断熱ユニットの支持構造。
【請求項２】
前記屋根材の上面と断熱ユニットの下面との間の所定量の隙間は、１０ｍｍ〜８０ｍｍの範囲内とされていることを特徴とする請求項１に記載の断熱ユニットの支持構造。
【請求項３】
前記支持屋根材は、前記屋根材に対して荷重を伝達させないように屋根の構造部材に固定されていることを特徴とする請求項１又は請求項２に記載の断熱ユニットの支持構造。
【発明の詳細な説明】
【技術分野】
【０００１】
本発明は、傾斜屋根に取付けられる緑化ユニットや遮熱ユニット等を含む断熱ユニットの支持構造に関するものである。
【背景技術】
【０００２】
従来より、屋根上からの熱が建物へ伝わるのを抑制するための断熱ユニットとして、植物が育生可能なマット状の緑化基材を有した緑化ユニットが知られている。この断熱ユニット（緑化ユニット）を、建物等の傾斜した屋根に支持する構造としては、例えば、屋根材として瓦が敷設された屋根に金網を敷いた上で、緑化基材としてコケ培地マットを針金等で金網に固定したもの（特許文献１）、或いは、屋根材に所定間隔で留め具を取付けると共に、その留め具に断面形状がＬ字形状の植生マット固定具を所定間隔で固定し、植生マット固定具の間に緑化基材としての植生マットを敷設すると共に植生マットの上面側にワイヤを張設したもの（特許文献２）等が提案されている。
【０００３】
【特許文献１】特開２００５−１８５１０４号公報
【特許文献２】特開２００６−０２５６８９号公報
【発明の開示】
【発明が解決しようとする課題】
【０００４】
しかしながら、従来の支持構造では、屋根の傾斜により雨等の水を屋根材に沿って流すことができるものの、屋根材と緑化基材とが略接触した状態となっているので、屋根材と緑化基材との間に水分が残り易くなると共に、屋根材と緑化基材との間で換気が行われ難くなり、緑化基材よりも下側の湿気が高くなる。そのため、屋根材として瓦やスレート等を用いた屋根では、瓦等の屋根材同士の隙間から湿気が屋根材と野地板との間に浸入してその間の雰囲気が高湿度の状態となり、温度変化等によって屋根材と野地板との間で結露が発生する。そして、湿気や発生した結露等によって、屋根材が傷んだり、野地板や垂木等が腐蝕したり、雨漏りの原因となったりしてしまう問題があった。
【０００５】
また、緑化基材に根が延びる植物を育生した場合、植物の根が屋根材と野地板との間へ入り込んでしまい、上述と同様の問題が発生する他に、植物の根が屋根材や野地板を侵食して屋根材等の耐久性を低下させてしまう問題がある。
【０００６】
更に、従来の支持構造では、屋根材の表面に接するように緑化基材を支持しているので、緑化基材から屋根材へ、或いは、屋根材から緑化基材へ熱が伝わり易く、断熱ユニットによる断熱効果が充分に得られない問題があった。
【０００７】
そこで、本発明は上記の実情に鑑み、傾斜屋根の断熱を容易にすると共に断熱効果の優れた断熱ユニットの支持構造の提供を課題とするものである。
【課題を解決するための手段】
【０００８】
本発明に係る断熱ユニットの支持構造は、「傾斜屋根に複数敷設される屋根材と略同形状の基材部、及び該基材部から上方へ突出する支持部を有し、屋根の流れ方向及び左右方向に所定間隔で屋根上に敷設される支持屋根材と、該支持屋根材の前記支持部に所定方向へ摺動可能に支持されると共に、固定部を有した下固定金具と、該下固定金具の摺動方向に対して直角方向に配置されると共に前記固定部に固定され、少なくとも上面に所定の締結具を長手方向へスライド可能に保持する長尺状の支持桟と、該支持桟に板状の断熱ユニットを、前記屋根材の上面と断熱ユニットの下面との間に所定量の隙間が形成されるように、前記支持桟に保持された前記締結具を介して固定する上固定金具とを具備する」ことを特徴とする。
【０００９】
ここで、支持屋根材としては、「瓦に支持部を備えたもの（例えば、支持瓦）」、「スレートに支持部を備えたもの」、等が挙げられる。また、支持屋根材の支持部は、基材部に対して一体的に形成されたものであっても良いし、基材部とは別体に形成されたものであっても良い。
【００１０】
また、下固定金具としては、「支持部に対する固定部分に長孔が形成され、その長孔により摺動可能とされたもの」、「複数の金具が組合されることで摺動可能とされたもの」、等が挙げられる。
【００１１】
また、支持桟としては、「上面にのみ締結具をスライド保持可能な溝を有したもの」、「上面及び左右の側面に締結具をスライド保持可能な溝を有したもの」、等が挙げられる。なお、支持桟の断面外形形状は、矩形状が望ましいがその他の多角形状としても良い。
【００１２】
更に、断熱ユニットとは、熱伝導率の低い部材により断熱するものだけでなく、植物を用いたものや、熱を吸収（例えば、気化熱として）したり反射させたりして遮熱するもの等を含むものであり、断熱ユニットとしては、「保水性を有する基材を備えたもの」、「タイルやレンガ等からなるもの」、「断熱パネルを有したもの」、「表面にアルミ層を有した遮熱パネルを備えたもの（遮熱ユニット）」、「マット状の緑化基材と、緑化基材を収容可能なトレーと、緑化基材の表面側に配置されトレーと協働して緑化基材を狭持する表面部材とを備えた緑化ユニット」とすることができ、トレー及び表面部材は、桝目が適宜大きさとされた網状の部材を用いることが望ましい。また、断熱ユニットとしての緑化ユニットに用いる植物としては、「苔類」、「草類」、「低花木類」、等が挙げられる。なお、植物としては、乾燥に強い苔類を用いることが望ましく、これにより、草類と比較して大きく成長しないので、草刈等を行う必要がないと共に、枯れ難く枯れても空気中の水分等により容易に再生するので、緑化ユニット（断熱ユニット）のメンテナンスを簡単なものとすることができる。
【００１３】
ところで、断熱ユニットとして緑化ユニットを用いた場合は、上述した通りの問題が発生するが、断熱ユニットとして断熱機能や遮熱機能を有したパネルを備えたものとした場合でも、断熱ユニットと屋根材との間の隙間が狭いと、通気性が悪くなって湿気が高くなり、上述と同様の問題が発生することとなる。
【００１４】
本発明によると、傾斜した屋根に対して断熱ユニットを、屋根材との間で所定量の隙間が形成されるように支持する構造としているので、断熱ユニットと屋根材との間で通気性を確保することができ、断熱ユニットよりも下側の湿気が高くなるのを防止することができる。従って、屋根材と野地板との間で結露が発生するのを防止することができ、湿気や結露等によって、屋根材が傷んだり、野地板や垂木等が腐蝕したり、雨漏りの原因となったりしてしまうのを防止することができる。
【００１５】
また、断熱ユニットと屋根材との間に隙間を形成するようにしているので、断熱ユニットとしての緑化ユニットに根が延びる植物を用いても、その隙間を介して断熱ユニットから下側へ延びだした根を確認することができ、根が屋根材と野地板との間へ入り込まないように断熱ユニットをメンテナンスして、植物の根が屋根材や野地板を侵食して屋根材等の耐久性が低下するのを防止することができる。また、断熱ユニットとしての緑化ユニットと屋根材との間の隙間を介して断熱ユニットから下側へ延びだす根を確認することができるので、断熱ユニットにおける植物の育生状態を確認し易くすることができる。
【００１６】
更に、断熱ユニットと屋根材との間に隙間を形成するようにしているので、断熱ユニットから屋根材へ、或いは、屋根材から断熱ユニットへ熱を伝わり難くすることができ、建物の小屋裏における夏場の温度上昇や、冬場の温度降下等を抑制することが可能となり、冷暖房に係るコストを低減させることができる。また、断熱ユニットと屋根材との間に隙間を確保しているので、断熱ユニットの裏面を確認することができ、メンテナンスの時期を確認することができる。
【００１７】
また、断熱ユニットを、支持桟を介して屋根材と略同形状の支持屋根材により支持するようにしているので、既存の傾斜屋根に対して、部分的に屋根材を支持屋根材と交換すれば屋根上に支持桟を固定することができるようになり、簡単な作業で傾斜屋根へ断熱ユニットを設置することができると共に、断熱ユニットの設置に係るコストを低減させることができる。
【００１８】
更に、支持屋根材の支持部に摺動可能に支持される下固定金具に対し、その摺動方向に対して直角方向に支持桟を配置固定するようにしているので、支持屋根材が真直ぐ屋根上に敷設されてなくても、下固定金具を摺動させて支持桟を真直ぐ固定することができる。
【００１９】
また、支持桟の上面にボルト等の締結具を長手方向へスライド可能に保持させると共に、その締結具を介して上固定金具によって断熱ユニットを支持桟へ固定するようにしているので、締結具を適宜位置へスライドさせることで、断熱ユニットを最適な位置で固定することができる。
【００２０】
なお、断熱ユニットと屋根材との間に隙間が形成されるように断熱ユニットを支持しているので、蓋然的に、断熱ユニットの上面を屋根材の上面から所定の高さとすることができる。従って、屋根上に太陽電池モジュールを設置すると共に、屋根上の残りの部分に断熱ユニットを設置した場合に、太陽電池モジュールと断熱ユニットの上面を略同じ高さとすることができ、屋根上の見栄えを良くすることができる。
【００２１】
また、支持桟の配置する方向（延びる方向）としては、屋根の流れ方向としても良いし、屋根の左右方向としても良いし、支持桟を井桁状に組んでも良い。なお、支持桟を屋根の流れ方向へ延びるように配置した場合、屋根上に設置支持された断熱ユニットと屋根材との間が、上側（棟側）と下側（軒側）が開放された状態となり、より通気性を良くすることができると共に、建物の外側（下側）から断熱ユニットと屋根材との間の隙間が見易くなり、メンテナンス等の際の作業性を良くすることができる。
【００２２】
更に、断熱ユニットを、支持桟を介して屋根上に支持するようにしているので、各断熱ユニットを夫々独立して支持することが可能となり、各断熱ユニットを支持桟に夫々独立して支持させることで、メンテナンス等の際に断熱ユニットを個別に脱着することができ、メンテナンス性を高めることができる。
【００２３】
本発明に係る断熱ユニットの支持構造は、上記の構成に加えて、「前記屋根材の上面と断熱ユニットの下面との間の所定量の隙間は、１０ｍｍ〜１２０ｍｍの範囲内とされている」ことを特徴とする。
【００２４】
ここで、屋根材の上面と断熱ユニットの下面との間の隙間を、１０ｍｍ〜１２０ｍｍの範囲内としているのは、１０ｍｍよりも隙間が小さいと、屋根材と断熱ユニットとの間の通気性が悪くなり、上述した湿気等の問題が発生するためである。また、１２０ｍｍよりも隙間が大きいと、台風等により飛散の虞があるためである。
【００２５】
本発明によると、屋根材の上面と断熱ユニットの下面との間の隙間を、１０ｍｍ〜１２０ｍｍの範囲内としているので、屋根材と断熱ユニットの間の通気性を確実に確保することができ、上述した作用効果を確実に奏することができる。
【００２６】
本発明に係る断熱ユニットの支持構造は、上記の構成に加えて、「前記支持屋根材は、前記屋根材に対して荷重を伝達させないように屋根の構造部材に固定されている」ことを特徴とする。
【００２７】
本発明によると、断熱ユニットを屋根上に支持する支持屋根材を、屋根材に対して荷重を伝達させないように屋根の構造部材に固定しているので、断熱ユニットからの荷重が他の屋根材にかかって、他の屋根材が破損するのを防止することができる。
【発明の効果】
【００２８】
上記のように、本発明によると、傾斜屋根の断熱を容易にすると共に断熱効果の優れた断熱ユニットの支持構造を提供することができる。
【発明を実施するための最良の形態】
【００２９】
以下、本発明を実施するための最良の形態である断熱ユニットの支持構造について、図１乃至図６に基いて詳細に説明する。図１は、本発明の断熱ユニットの支持構造を瓦屋根に適用した状態を示す斜視図である。図２（ａ）は図１に示す断熱ユニットの支持構造を軒側から見た断面図であり、（ｂ）は（ａ）の要部拡大図である。図３（ａ）は図１に示す断熱ユニットの支持構造を側面から見た断面図であり、（ｂ）は（ａ）の要部拡大図である。図４は、図１の断熱ユニットの支持構造を分解して示す斜視図である。また、図５は、図１における支持屋根材と下固定金具との関係を示す斜視図であり、図６は図１における支持桟を示す斜視図である。
【００３０】
本実施形態における断熱ユニットの支持構造は、図示するように、瓦からなる屋根材１が複数敷設された傾斜屋根に、緑化ユニットからなる断熱ユニット１０を支持する構造であり、屋根の流れ方向及び左右方向に所定間隔で屋根上に敷設される支持屋根材１２と、支持屋根材１２に支持される下固定金具１４と、下固定金具１４に固定される支持桟１６と、支持桟１６に断熱ユニット１０を固定する上固定金具１８とを主に備えている。
【００３１】
まず、本例における断熱ユニット１０が設置される屋根の構造は、一般的な住宅等の瓦屋根の構造と同様であり、垂木の上面に固定された野地板２の上面に、流れ方向に対して所定間隔に桟木３が固定された上で、屋根材１の後端が桟木３に載置されると共に係止され、屋根材１の前端が軒側に配置された屋根材１上に載置されている。なお、図示は省略するが、野地板２の上面には防水シートが配置されている。
【００３２】
本例の断熱ユニット１０は、植物を育生可能な緑化ユニットとされており、マット状の緑化基材１０ａと、緑化基材１０ａを収容可能なトレー１０ｂと、緑化基材１０ａの表面側に配置されトレー１０ｂと協働して緑化基材１０ａを狭持する表面部材１０ｃとを備えている。この緑化ユニット１０における緑化基材１０ａは、所定の繊維を用いた不織布や、所定の繊維糸を編成した編成体等からなる植生マットに、植物として苔類（例えば、砂苔）を介装したものである。また、トレー１０ｂは、図４に示すように、金属線材を網状に形成した上で、外周端を上方へ立上らせて緑化基材１０ａを収容できるような籠のように容器状に形成したものである。更に、表面部材１０ｃは、トレー１０ｂと同様の金属線材を網状に形成したものである。なお、図示は省略するが、トレー１０ｂと緑化基材１０ａ及び表面部材１０ｃとは、適宜の固定具により固定されている。
【００３３】
この断熱ユニット１０は、植物として苔類を用いており、空気中の水分だけでも充分に成長することができると共に、肥料等の栄養分を必要としないので、水や肥料を定期的に供給する必要がない。また、他の植物のように大きく成長しないので、刈り込み等をする必要がない。なお、乾燥した場合は、緑色を呈さずに枯れたように見えるが、雨等により水分が供給されると、再び緑色となり死滅することがない。従って、本例の断熱ユニット１０では、メンテナンスに係る手間を簡略化することができ、維持費を低くすることができる。また、苔類を用いることで、他の植物のように緑化基材１０ａに流れ易い土壌を用いる必要がないので、傾斜屋根に問題なく用いることができ、傾斜屋根を良好に緑化することができる。
【００３４】
また、本例の支持屋根材１２は、図５に拡大して示すように、屋根材１と略同形状の基材部１２ａと、基材部１２ａから上方へ突出する支持部１２ｂとを有している。また、支持屋根材１２は、支持部１２ｂよりも前側で基材部１２ａの下面から下方へ突出する脚部１２ｃと、基材部１２ａの上面に突出し貫通孔を有したボス部１２ｄとを更に有している。この支持屋根材１２は、図３に示すように、脚部１２ｃが楔部材４及び補強板５を介して野地板２に載置されるようになっていると共に、支持屋根材１２の前端が軒側の屋根材１の上面との間で隙間が形成されるようになっており、支持屋根材１２の荷重が他の屋根材１にかからないようになっている。なお、楔部材４により、脚部１２ｃとの設置高さを調節することができるようになっている。また、この支持屋根材１２は、ボス部１２ｄの貫通孔を介して固定ねじ６により野地板２に固定されている。
【００３５】
本例の支持屋根材１２は、基材部１２ａと支持部１２ｂとが一体的に形成されており、支持部１２ｂに、図５に示すように、下固定金具１４を固定するための貫通孔１２ｅが形成されている。なお、支持屋根材１２の基材部１２ａと支持部１２ｂを、別体としても良い。また、本例では、支持屋根材１２としてＪ形のものを示したが、Ｆ形やＳ形の形状のものとしても良い。更に、屋根材１や支持屋根材１２としては、陶器瓦、いぶし瓦、セメント瓦、スレート、等としても良い。
【００３６】
更に、本例の下固定金具１４は、所定厚さの金属板を屈曲形成したものであり、図５に示すように、支持屋根材１２の支持部１２ｂ上に載置されるベース部１４ａと、ベース部１４ａの前端及び後端から下方へ延出し左右方向へ延びた長孔１４ｂを有した取付部１４ｃと、ベース部１４ａの左右両端から上方へ延出し上下方向へ延びた長孔１４ｄを有した固定部１４ｅとを備えている。この下固定金具１４は、ベース部１４ａを支持部１２ｂ上に載置した状態で、所定の固定ボルト２０を、取付部１４ｃの長孔１４ｂ及び支持部１２ｂの貫通孔１２ｅを挿通させた上で、固定ボルト２０に固定ナット２２を螺合することで支持屋根材１２に取付固定することができるようになっている。また、下固定金具１４は、取付部１４ｃの長孔１４ｂにより、支持屋根材１２の支持部１２ｂに対して左右方向へ摺動することができるようになっている。更に、下固定金具１４は、固定部１４ｅの間に支持桟１６が挿入可能とされていると共に、固定部１４ｅの長孔１４ｄを介して支持桟１６を固定することができるようになっている。
【００３７】
また、本例の支持桟１６は、断面の外形形状が略矩形状とされ所定の金属からなる長尺状の押出型材とされ、上面に長手方向へ延びるＴ溝１６ａと、左右の側面に長手方向へ延びる十字溝１６ｂとを備えている。この支持桟１６におけるＴ溝１６ａは、挿入された締結具２４としての根角ボルトや六角ボルト等の頭部を回転不能な状態で保持すると共に、締結具２４を長手方向へスライド可能に保持することができるようになっている。なお、本例では、締結具２４として根角ボルトを用いている。また、支持桟１６における十字溝１６ｂは、挿入された六角ナット２６を回転不能な状態で保持すると共に、長手方向へスライド可能に保持することができるようになっている。なお、本例では、図６に示すように、十字溝１６ｂ内へ挿入される六角ナット２６には、把持片２６ａが備えられており、支持桟１６を下固定金具１４の固定部１４ｅと固定する際に、把持片２６ａを操作することで固定部１４ｅの長孔１４ｄに対して六角ナット２６の位置合せを簡単に行うことができるようになっている。
【００３８】
更に、本例の上固定金具１８は、略中央に貫通孔を有した平板状の金属部材とされている。なお、上固定金具１８の端部には、緑化ユニット１０におけるトレー１０ｂを形成する金属線材を係止可能な係止爪１８ａを備えている。
【００３９】
本例における断熱ユニット１０の支持構造は、上述したような支持屋根材１２の支持部１２ｂ及び支持桟１６を用いて断熱ユニット１０支持することで、屋根材１の上面と断熱ユニット１０の下面との間に所定量の隙間が形成されるようになっており、この隙間の存在により、断熱ユニット１０の上面からの熱を屋根側（建物側）へ伝え難くすると共に、屋根材１と断熱ユニット１０との間の通気性を確保することができるようになっている。なお、本例では、屋根材１の上面と断熱ユニット１０の下面との間の隙間が、１０ｍｍ〜１２０ｍｍの範囲内となるように、支持部１２ｂ及び支持桟１６の高さが適宜選択されている。
【００４０】
次に、傾斜屋根に対する断熱ユニット１０の施工方法について説明する。まず、複数の屋根材１に対して支持屋根材１２を、屋根の流れ方向及び左右方向に対して所定間隔で屋根に設置する。この際に、支持屋根材１２の後端を桟木３に載置すると共に、脚部１２ｃを、楔部材４等を介して野地板２に載置する。この際に、楔部材４の前後位置を調節することで、支持屋根材１２の高さを調節して、支持屋根材１２の前端が軒側の屋根材１と接触しないようにする。そして、支持屋根材１２を載置したら、そのボス部１２ｄの貫通孔を通して上側から固定ねじ６を野地板２へねじ込んで、支持屋根材１２を野地板２に固定する。なお、既存の屋根に断熱ユニット１０を設置する場合は、支持屋根材１２を載置する位置の屋根材１を外して支持屋根材１２と交換する。
【００４１】
続いて、支持屋根材１２の支持部１２ｂに下固定金具１４を、固定ボルト２０及び固定ナット２２を用いて支持させる。この際に、固定ナット２２を緩めに螺合させ、下固定金具１４が長孔１４ｂの分だけ左右方向へ摺動できるようにしておく。支持屋根材１２に下固定金具１４を支持させたら、流れ方向に沿って配置された支持屋根材１２に支持された下固定金具１４のベース部１４ａに、支持桟１６を載置する。なお、支持桟１６を載置する際に、各支持屋根材１２が流れ方向に対して真直ぐ敷設されていなくても、支持屋根材１２に支持された下固定金具１４が、長孔１４ｂの分だけ左右方向へ摺動することができるので、下固定金具１４を適宜位置へ摺動させて、各下固定金具１４のベース部１４ａ上に支持桟１６を確実に載置させることができるようになっている。
【００４２】
そして、最も下側（軒側）に位置した下固定金具１４では、支持桟１６における固定部１４ｅの長孔１４ｄと対応する位置に、支持桟１６を貫通する貫通孔を穿設した上で、一方の固定部１４ｅの外側から支持桟１６を貫通して他方の固定部１４ｅへ抜けるように長ボルト２８（図４を参照）を挿通し、その長ボルト２８にナット３０を螺合して支持桟１６を固定する。一方、その他の下固定金具１４では、支持桟１６の端部から十字溝１６ｂ内に挿入した六角ナット２６を、固定部１４ｅの長孔１４ｄと対応するようにスライドさせ、その六角ナット２６に対して固定部１４ｅの外側から短ボルト３２（図４を参照）を螺合して支持桟１６を固定する。流れ方向に並んだ各下固定金具１４に対して支持桟１６を固定したら、各下固定金具１４と支持屋根材１２とを固定する固定ボルト２０及び固定ナット２２を締め付けて、支持屋根材１２に対して下固定金具１４を完全に固定する。
【００４３】
このようにして、すべての支持桟１６を屋根上に固定したら、次に、各支持桟１６のＴ溝１６ａに、所定数の締結具２４をスライド保持させる。そして、支持桟１６の上面から締結具２４のねじ部分が上方へ突出した状態で、支持桟１６の上面に断熱ユニット１０のトレー１０ｂを載置する。そして、トレー１０ｂの上側から、締結具２４に対して上固定金具１８の貫通孔を貫通させた上で、締結ナット３４を螺合し、支持桟１６上にトレー１０ｂを固定する。支持桟１６にトレー１０ｂを固定したら、トレー１０ｂに緑化基材１０ａを載置した上で表面部材１０ｃを載置し、表面部材１０ｃ及び緑化基材１０ａを、図示しない固定具によりトレー１０ｂに固定することで、屋根材１と断熱ユニット１０との間に所定量の隙間が形成された状態で、傾斜屋根への断熱ユニット１０の設置が完了する。
【００４４】
このように、本実施形態における断熱ユニットの支持構造によると、傾斜した屋根に対して断熱ユニット１０を、屋根材１との間で所定量の隙間が形成されるように支持する構造としているので、断熱ユニット１０と屋根材１との間で通気性を確保することができ、断熱ユニット１０よりも下側の湿気が高くなるのを防止することができる。従って、屋根材１と野地板２との間で結露が発生するのを防止することができ、湿気や結露等によって、屋根材１が傷んだり、野地板２や垂木等が腐蝕したり、雨漏りの原因となったりしてしまうのを防止することができる。
【００４５】
また、断熱ユニット１０と屋根材１との間に隙間を形成するようにしているので、断熱ユニット１０から屋根材１へ、或いは、屋根材１から断熱ユニット１０へ熱を伝わり難くすることができ、建物の小屋裏における夏場の温度上昇や、冬場の温度降下等を抑制することが可能となり、冷暖房に係るコストを低減させることができる。
【００４６】
また、断熱ユニット１０を、支持桟１６を介して屋根材１と略同形状の支持屋根材１２により支持するようにしているので、既存の傾斜屋根に対して、部分的に屋根材１を支持屋根材１２と交換すれば屋根上に支持桟１６を固定することができるようになり、簡単な作業で傾斜屋根へ断熱ユニット１０を設置することができると共に、断熱ユニット１０の設置に係るコストを低減させることができる。
【００４７】
更に、支持屋根材１２の支持部１２ｂに摺動可能に支持される下固定金具１４に対し、その摺動方向に対して直角方向に支持桟１６を配置固定するようにしているので、支持屋根材１２が真直ぐ屋根上に敷設されてなくても、下固定金具１４を摺動させて支持桟１６を真直ぐ固定することができる。
【００４８】
また、支持桟１６の上面にボルト等の締結具２４を長手方向へスライド可能に保持させると共に、その締結具２４を介して上固定金具１８によって断熱ユニット１０を支持桟１６へ固定するようにしているので、締結具２４を適宜位置へスライドさせることで、断熱ユニット１０を最適な位置で固定することができる。
【００４９】
更に、支持桟１６を屋根の流れ方向へ延びるように配置しているので、屋根上に設置支持された断熱ユニット１０と屋根材１との間が、上側（棟側）と下側（軒側）が開放された状態となり、通気性を良くすることができると共に、建物の外側（下側）から断熱ユニット１０と屋根材１との間の隙間が見易くなり、メンテナンス等の際の作業性を良くすることができる。また、各断熱ユニット１０を支持桟１６に夫々独立して支持させるようにしているので、メンテナンス等の際に断熱ユニット１０を個別に脱着することができ、メンテナンス性を高めることができる。更に、屋根の流れ方向へ延びる支持桟１６のみで断熱ユニット１０を支持するようにしているので、支持桟１６を井桁状に組んで支持するようにした場合と比較して、部品点数を少なくすることができ、支持構造に係るコストを低減させることができる。
【００５０】
また、屋根材１の上面と断熱ユニット１０の下面との間の隙間を、１０ｍｍ〜１２０ｍｍの範囲内としているので、屋根材１と断熱ユニット１０の間の通気性を確実に確保することができると共に台風等により飛散の虞を抑制することができ、上述した作用効果を確実に奏することができる。
【００５１】
更に、断熱ユニット１０を屋根上に支持する支持屋根材１２を、他の屋根材１に対して荷重を伝達させないように屋根の野地板２に固定しているので、断熱ユニット１０からの荷重が他の屋根材１にかかって、他の屋根材１が破損するのを防止することができる。
【００５２】
また、断熱ユニット１０としての緑化ユニットの植物として、乾燥に強い苔類を用いているので、草類と比較して大きく成長しないので、草刈等を行う必要がないと共に、枯れ難く枯れても空気中の水分等により容易に再生するので、断熱ユニット１０のメンテナンスを簡単なものとすることができる。
【００５３】
以上、本発明について好適な実施形態を挙げて説明したが、本発明はこれらの実施形態に限定されるものではなく、以下に示すように、本発明の要旨を逸脱しない範囲において、種々の改良および設計の変更が可能である。
【００５４】
すなわち、本実施形態では、支持桟１６の上面に断熱ユニット１０におけるトレー１０ｂの底面を載置して支持するものを示したが、例えば、図７に示すように、断熱ユニット１０におけるトレー１０ｂに、側壁上端から外方へ延出する延出部１０ｄを形成し、その延出部１０ｄを支持桟１６の上面に載置して、上固定金具１８によりトレー１０ｂを固定するようにしても良い。なお、図７の例では、支持桟１６の高さが、上述の例よりも高く構成されており、屋根材１の上面と断熱ユニット１０の下面との間に所定量の隙間を形成することができるようになっている。また、図中、上述の支持構造と同様の構成については、同一の符号を付すと共に説明を省略する。この例においても、上述と同様の作用効果を奏することができる。
【００５５】
また、本実施形態では、断熱ユニット１０におけるトレー１０ｂを、支持桟１６と上固定金具１８とで狭持するように固定するものを示したが、例えば、図８に示すような、上固定金具４０を用いて断熱ユニット１０を支持桟１６に固定するようにしても良い。この図８の例の上固定金具４０は、支持桟１６の上面に載置されると共に、締結具２４を介して支持桟１６に固定される平板状のベース部４０ａと、ベース部４０ａの左右両端から下方へ垂下する垂下部４０ｂと、垂下部４０ｂの下端からベース部４０ａと略平行に外方へ延出し断熱ユニット１０におけるトレー１０ｂの下面を支持可能な支持部４０ｃとを備えている。この上固定金具４０は、図示は省略するが、支持部４０において適宜の方法によりトレー１０ｂを固定することができるようになっている。なお、図中、上述の支持構造と同様の構成については、同一の符号を付すと共に説明を省略する。この例においても、上述と同様の作用効果を奏することができる。
【００５６】
更に、本実施形態では、断熱ユニット１０として苔類を用いた緑化ユニットを示したが、苔類以外の植物を用いても良く、上述と同様の作用効果を奏することができる。また、断熱ユニット１０と屋根材１との間に隙間を形成しているので、断熱ユニット１０に根が延びる植物を用いても、その隙間を介して断熱ユニット１０から下側へ延びだした根を確認することができ、根が屋根材１と野地板２との間へ入り込まないように断熱ユニット１０をメンテナンスして、植物の根が屋根材１や野地板２を侵食して屋根材１等の耐久性が低下するのを防止することができる。また、断熱ユニット１０と屋根材１との間の隙間を介して断熱ユニット１０から下側へ延びだす根を確認することができるので、断熱ユニット１０における植物の育生状態を確認し易くすることができる。
【００５７】
また、本実施形態では、屋根上に断熱ユニット１０のみを支持するものを示したが、図９に示すように、支持桟１６に太陽電池モジュール４５を支持させると共に、太陽電池モジュール４５の周りに断熱ユニット１０を配置して支持桟１６に支持させるようにしても良い。なお、この場合、断熱ユニット１０と太陽電池モジュール４５の上面が略同じ高さとなるように支持することが望ましく、これにより、上述した作用効果の他に、屋根上の見栄えを良くすることができる。
【００５８】
また、本実施形態では、支持桟１６を流れ方向へ延びるように配置したものを示したが、図１０及び図１１に示すように、支持桟１６を屋根の左右方向へ延びるように配置するようにしても良い。この例では、支持屋根材１２の支持部１２ｂに支持される下固定金具５０が、支持部１２ｂに固定されるコ字形状の下金具５１と、下金具５１に固定されると共に支持桟１６を屋根の左右方向（横方向）へ固定可能な上金具５２とで構成されている。これら下金具５１と上金具５２は、図示するように、ボルト５３とナット５４によって締結されている。この下固定金具５０における上金具５２は、図１０（ｂ）に示すように、矩形状のベース部５２ａと、ベース部５２ａの対向する二辺から上方へ立上り支持桟１６の下面を載置可能とされた載置片５２ｂと、載置片５２ｂとは異なるベース部５２ａの対向する二辺から載置片５２ｂよりも上方へ立上る支持片５２ｃとを備えており、支持片５２ｃには上下方向へ延びた長孔５２ｄが形成されている。この下固定金具５０は、上金具５２の載置片５２ｂ上に支持桟１６を載置すると共に、支持片５２ｃの長孔５２ｄを介して上述の下固定金具１４と同様に六角ナット２６及び短ボルトによって支持桟１６を固定することができるようになっている。なお、図１０及び図１１中、上述の支持構造と同様の構成については、同一の符号を付すと共に説明を省略する。この例においても、上述と同様の作用効果を奏することができる。
【００５９】
更に、本実施形態では、支持桟１６を一方向のみに延びるように配置したものを示したが、図１２に示すように、支持桟１６として、屋根の流れ方向に配置される縦桟６０と、屋根の左右方向へ配置される横桟６１とで井桁状に組んだ上で、断熱ユニット１０を支持するようにしても良く、これによっても上述と同様の作用効果を奏することができると共に、屋根上への断熱ユニット１０取付強度をより高くすることができる。
【００６０】
また、本実施形態では、屋根材１を支持屋根材１２と交換することで断熱ユニット１０を支持するようにしているが、屋根材１の形状や寸法等によっては支持屋根材１２と交換することができない場合があり、その場合は、図１３に示すように、野地板２に固定される支持金具７０を用いて断熱ユニット１０を支持するようにしても良い。なお、この例の下固定金具１４は、取付部１４ｃが一方のみに形成されたものである。また、図中、上述の支持構造と同様の構成については、同一の符号を付すと共に説明を省略する。更に、図中、符号７１は、支持金具７０の取付け高さを調整するためのスペーサである。この例においても、上述と同様の作用効果を奏することができる他に、より多様な屋根に断熱ユニット１０を設置することができる。
【００６１】
更に、本実施形態では、断熱ユニット１０として緑化ユニットを用いたものを示したが、保水性を有する基材を備えた断熱ユニット、タイルやレンガ等を備えた断熱ユニット、多孔質部材等からなる断熱パネルを備えた断熱ユニット、アルミ膜等の反射シートを有した遮熱パネルを備えた断熱ユニット、等としても良く、上述と同様の作用効果を奏することができる。
【図面の簡単な説明】
【００６２】
【図１】本発明の断熱ユニットの支持構造を瓦屋根に適用した状態を示す斜視図である。
【図２】（ａ）は図１に示す断熱ユニットの支持構造を軒側から見た断面図であり、（ｂ）は（ａ）の要部拡大図である。
【図３】（ａ）は図１に示す断熱ユニットの支持構造を側面から見た断面図であり、（ｂ）は（ａ）の要部拡大図である。
【図４】図１の断熱ユニットの支持構造を分解して示す斜視図である。
【図５】図１における支持屋根材と下固定金具との関係を示す斜視図である。
【図６】図１における支持桟を示す斜視図である。
【図７】異なる実施形態の要部を軒側から見ると共に拡大して示す断面図である。
【図８】更に異なる実施形態の要部を軒側から見ると共に拡大して示す断面図である。
【図９】異なる実施形態を概略で示す分解斜視図である。
【図１０】（ａ）は図１の例における支持桟を屋根の左右方向へ配置して側面から見た断面図であり、（ｂ）は（ａ）における下固定金具の一部を示す斜視図である。
【図１１】図１０の支持構造を分解して示す斜視図である。
【図１２】支持桟を井桁状に組んだ例を示す分解斜視図である。
【図１３】野地板に支持金具を固定した例を側面から示す断面図である。
【符号の説明】
【００６３】
１  屋根材
２  野地板
１０  断熱ユニット
１２  支持屋根材
１２ａ  基材部
１２ｂ  支持部
１２ｃ  脚部
１４  下固定金具
１４ｂ  長孔
１４ｅ  固定部
１６  支持桟
１６ａ  Ｔ溝
１６ｂ  十字溝
１８  上固定金具
２４  締結具
３４  締結ナット
４０  上固定金具
【図１】
2009293201.tif 000003
【図２】
2009293201.tif 000004
【図３】
2009293201.tif 000005
【図４】
2009293201.tif 000006
【図５】
2009293201.tif 000007
【図６】
2009293201.tif 000008
【図７】
2009293201.tif 000009
【図８】
2009293201.tif 000010
【図９】
2009293201.tif 000011
【図１０】
2009293201.tif 000012
【図１１】
2009293201.tif 000013
【図１２】
2009293201.tif 000014
【図１３】
2009293201.tif 000015